(57)【要約】  容器のための蓋は、基部と内容物貯蔵システムと作動部とを備え、前記基部は、前記容器に接続し、前記容器の内部空洞に流体的に連通する（ここでは「飲み口」として言及もされている）口部を含み、前記内容物貯蔵システムは、前記基部に配置され、前記容器の前記内部空洞に選択的流体的に連通し、開状態のときには、前記内容物貯蔵システムが前記内部空洞と流体的に連通し、かつ、閉状態のときには、前記内容物貯蔵システムが前記内部空洞と流体的に連通しない弁を備え、前記作動部は、前記容器の前記内部空洞を選択的に開けるために、前記閉状態と前記開状態との間において前記弁を作動させる。
2017520483.tif 000002
【特許請求の範囲】
【請求項１】
容器のための蓋であり、
基部と内容物貯蔵システムと作動部とを備え、
前記基部は、
前記容器に接続するように構成され、
前記容器の内部空洞に流体的に連通するように構成された口部を含み、
前記内容物貯蔵システムは、
前記基部に配置され、
前記容器の前記内部空洞に選択的流体的に連通するように構成され、
開状態のときには、前記内容物貯蔵システムが前記内部空洞と流体的に連通し、かつ、閉状態のときには、前記内容物貯蔵システムが前記内部空洞と流体的に連通しない弁を備え、
前記作動部は、前記容器の前記内部空洞を選択的に開けるために、前記閉状態と前記開状態との間において前記弁を作動させるように、構成されていることを特徴とする蓋。
【請求項２】
前記弁は、前記容器の前記内部空洞と前記内容物貯蔵システムとの間の圧力差が、閾値より大きいときに、開くように構成された圧力弁を含むことを特徴とする請求項１に記載の蓋。
【請求項３】
前記作動部は、前記貯蔵システムを加圧するように構成された押子を含むことを特徴とする請求項２に記載の蓋。
【請求項４】
前記押子は、前記内容物貯蔵システムまたは前記基部に、取り外し可能に固定されており、
前記押子を取り外すことによって、前記内容物貯蔵システムにアクセス可能であることを特徴とする請求項３に記載の蓋。
【請求項５】
前記押子は、変形すると共に前記内容物貯蔵システムを加圧するように構成された可撓ボタンを含むことを特徴とする請求項３に記載の蓋。
【請求項６】
前記内容物貯蔵システムは、前記基部の内部に形成されていることを特徴とする請求項１に記載の蓋。
【請求項７】
前記口部は、封止位置と非封止位置との間を移動するように、前記基部に移動可能に接続されていることを特徴とする請求項１に記載の蓋。
【請求項８】
前記口部は、前記非封止位置において、前記内容物貯蔵システムから離れて延びることを特徴とする請求項７に記載の蓋。
【請求項９】
前記内容物貯蔵システムは、前記基部から取り外し可能であることを特徴とする請求項１に記載の蓋。
【請求項１０】
前記弁は、弾性材料を含むことを特徴とする請求項１に記載の蓋。
【請求項１１】
前記弁は、液体と粉末との少なくとも一方を操作するように構成されていることを特徴とする請求項１に記載の蓋。
【請求項１２】
容器の蓋のための内容物貯蔵システムであり、
前記内容物貯蔵システムを規定するハウジングと、
開状態のときには、前記内容物貯蔵システムが容器の内部空洞と流体的に連通し、かつ、閉状態のときには、前記内容物貯蔵システムが前記容器の前記内部空洞と流体的に連通しない弁と、を備えることを特徴とする内容物貯蔵システム。
【請求項１３】
さらに、前記容器の前記内部空洞を前記内容物貯蔵システムへ選択的に開けるために、前記閉状態と前記開状態との間において前記弁を作動させるように、構成されている作動部を備えることを特徴とする請求項１２に記載の内容物貯蔵システム。
【請求項１４】
前記弁は、前記容器の前記内部空洞と前記内容物貯蔵システムとの間の圧力差が、閾値より大きいときに、開くように構成された圧力弁を含むことを特徴とする請求項１３に記載の内容物貯蔵システム。
【請求項１５】
前記作動部に、前記貯蔵システムを加圧するように構成された押子を含むことを特徴とする請求項１４に記載の内容物貯蔵システム。
【請求項１６】
前記押子は、前記内容物貯蔵システムまたは前記基部に、取り外し可能に固定されており、
前記押子を取り外すことによって、前記内容物貯蔵システムにアクセス可能であることを特徴とする請求項１５に記載の内容物貯蔵システム。
【請求項１７】
前記押子は、変形すると共に前記内容物貯蔵システムに加圧するように構成された可撓ボタンを含むことを特徴とする請求項１６に記載の内容物貯蔵システム。
【請求項１８】
前記弁は、弾性材料を含むことを特徴とする請求項１２に記載の内容物貯蔵システム。
【請求項１９】
前記弁は、液体と粉末との少なくとも一方を操作するように構成されていることを特徴とする請求項１２に記載の内容物貯蔵システム。
【請求項２０】
容器であり、
液体を保持するように構成された内部空洞を規定する容器ハウジングと、基部と内容物貯蔵システムと作動部とを備える蓋と、を備え、
前記基部は、
前記容器に接続するように構成され、
前記容器の内部空洞に流体的に連通するように構成された口部を含み、
前記内容物貯蔵システムは、
前記基部に配置され、
前記容器の前記内部空洞に選択的流体的に連通するように構成され、
開状態のときには、前記内容物貯蔵システムが前記内部空洞と流体的に連通し、かつ、閉状態のときには、前記内容物貯蔵システムが前記内部空洞と流体的に連通しない弁を備え、
前記作動部は、前記容器の前記内部空洞を選択的に開けるために、前記閉状態と前記開状態との間において前記弁を作動させるように、構成されていることを特徴とする容器。
【発明の詳細な説明】
【発明の詳細な説明】
【０００１】
〔関連出願の相互参照〕
本出願は、２０１４年０５月１３に提出され、同時係属中の米国特許出願第６１／９９２８０５号の優先権および利益を主張する。当該米国特許出願の全開示内容は、あらゆる目的のために、参照によって本出願に組み込まれる。
【０００２】
〔開示の分野〕
本開示は、容器の蓋に関し、特に、多機能を備える容器の蓋に関する。
【０００３】
〔背景〕
一般的に、容器の蓋（例：飲用容器，ガソリン容器，化学薬液容器，などのための蓋）には、容器を封止して、液体が容器から出るのを防止する蓋（例：ネジ蓋，フリップ蓋，フリクションフィット蓋，など）があってもよい。このような蓋は、封止性を強める封止部材（例：パッキン）を備えてもよい。一般的に、容器内部の液体とのアクセスするために、蓋または蓋の栓部を、容器に相対的に、すなわち容器から、移動させる必要があるので、容器内部への液体経路がアクセスできるようになる。容器に内容物を効率的に入れるためには、従来の蓋は取り外す必要がある。
【０００４】
多くの人々は、甘味料または茶粉末などの香味料が入った水などの香味飲料を楽しんでいる。しかしながら、容器に入れられた水を香味づけるためには、通常、（ｉ）香味溶液または香味粉末の分離容器を持ち運び、（ｉｉ）水が入った容器を開け、（ｉｉｉ）香味内容物を容器に移し、（ｉｖ）容器を再封止し、（ｖ）その後、容器を振って内容物を混ぜる必要がある。飲料容器に内容物（例：香味料）入れることを改善する解決策が必要とされている。
【０００５】
〔概要〕
本開示の少なくとも１つの態様において、容器のための蓋は、基部と内容物貯蔵システムと作動部とを備え、前記基部は、前記容器に接続するように構成され、前記容器の内部空洞に流体的に連通するように構成された（ここでは「飲み口」として言及もされている）口部を含み、前記内容物貯蔵システムは、前記基部に配置され、前記容器の前記内部空洞に選択的流体的に連通するように構成され、開状態のときには、前記内容物貯蔵システムが前記内部空洞と流体的に連通してもよく、かつ、閉状態のときには、前記内容物貯蔵システムが前記内部空洞と流体的に連通しない弁を備え、前記作動部は、前記容器の前記内部空洞を選択的に開けるために、前記閉状態と前記開状態との間において前記弁を作動させるように、構成されている。
【０００６】
前記弁は、前記容器の前記内部空洞と前記内容物貯蔵システムとの間の圧力差が、閾値より大きいときに、開くように構成された圧力弁を含んでいてもよい。
【０００７】
前記作動部は、前記貯蔵システムを加圧するように構成された押子を含んでいてもよい。前記押子は、前記内容物貯蔵システムまたは前記基部に、取り外し可能に固定されており、前記押子を取り外すことによって、前記内容物貯蔵システムにアクセス可能であってもよい。前記押子は、変形すると共に前記内容物貯蔵システムを加圧するように構成された可撓ボタンを含んでいてもよい。
【０００８】
いくつかの実施形態において、前記内容物貯蔵システムは、前記基部の内部に形成されていてもよい。前記内容物貯蔵システムは、前記基部から取り外し可能であってもよい。
【０００９】
前記口部は、封止位置と非封止位置との間を移動するように、前記基部に移動可能に接続されていてもよい。前記口部は、前記非封止位置において、前記内容物貯蔵システムから離れて延びてもよい。
【００１０】
いくつかの実施形態において、前記弁は、弾性材料を含んでいてもよい。前記弁は、液体と粉末との少なくとも一方を操作するように構成されていてもよい。
【００１１】
本開示の少なくとも１つの態様において、容器の蓋のための内容物貯蔵システムは、前記内容物貯蔵システムを規定するハウジングと、開状態のときには、前記内容物貯蔵システムが容器の内部空洞と流体的に連通してもよく、かつ、閉状態のときには、前記内容物貯蔵システムが前記容器の前記内部空洞と流体的に連通しなくてもよい弁と、を備える。
【００１２】
内容物貯蔵システムはさらに、前記容器の前記内部空洞を前記容器貯蔵システムへ選択的に開けるために、前記閉状態と前記開状態との間において前記弁を作動させるように、構成されている作動部を備えていてもよい。
【００１３】
本開示の少なくとも１つの態様において、容器は、液体を保持するように構成された内部空洞を規定する容器ハウジングと、ここで開示されるような蓋と、を備える。
【００１４】
本開示の他の態様および実施形態は以下に議論される。
【００１５】
〔図面の簡単な説明〕
本開示の、上述および他の物体、特徴、および利点は、付随する図面と連結して取り込まれるとき、より詳細な以下の説明からより明確に理解されるだろう。
【００１６】
図１は、本開示に係る蓋の例示的な実施形態の側面図である。
【００１７】
図２は、図１の蓋の側断面図である。
【００１８】
図３は、図１の蓋の分解側面図である。
【００１９】
図４は、図１の蓋の正面図である。
【００２０】
図５は、図１の蓋の上方平面図である。
【００２１】
図６は、図１の蓋の下方平面図である。
【００２２】
図７は、容器に配置された図１の蓋の側断面図である。
【００２３】
〔実施形態の詳細な説明〕
下記の参照は、図面と下記記載とを伴って描かれる例である、本開示の様々な実施形態の詳細を形成するだろう。例示の実施形態が描かれる上、本開示はこれらの例示的な実施形態に制限されないことが理解されるだろう。逆に、本開示は、本明細書に記載される実施形態のみならず、本開示の精神と範囲との中に含まれるかもしれない、様々な代替、変形、等価な物、および他の実施形態にも及ぶ。
【００２４】
ここで規定される範囲は、範囲の内部の全ての値の速記として理解される。例えば、１から５０までの範囲は、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、あるいは５０から構成される群の何れかの数、数の組み合わせ、または部分的な範囲を含み、例えば、１．１、１．２、１．３、１．４、１．５、１．６、１．７、１．８、および１．９のような、前述の整数の間の間に入る十進法の値についても同様である。部分的な範囲に関して、範囲のどちらか一方の端点から延びる「ネスト化された部分的な範囲」は特に考慮される。例えば、１から５０までの例示的な範囲のネスト化された部分的な範囲は、一方向において、１から１０まで、１から２０まで、１から３０まで、および１から４０まで、または他の方向において、５０から４０まで、５０から３０まで、５０から２０まで、および５０から１０までを含むかもしれない。
【００２５】
特に定まっている、または文脈から明白である場合を除き、本明細書において使用されるように、用語「およそ」および同様の用語（例えば、「実質的に」、「約」）は、例えば平均の２標準偏差内である、周知技術において通常許容される範囲内として理解される
このような用語は、定まった値の１０％、９％、８％、７％、６％、５％、４％、３％、２％、１％、０．５％、０．１％、０．０５％、または０．０１％内を意味していると理解されるかもしれない。文脈から明白でない場合、本明細書において規定される全ての実数値は、用語「およそ」によって変化させられる。
【００２６】
本開示の少なくとも１つの態様において、図１から６を参照すると、容器（図示せず）の蓋１００は、容器に接続するように構成された基部１０２を備え、基部１０２は容器の内部空洞に流体的に連通するように構成された口部（すなわち「飲み口」）１１７を含む。基部１０２は蓋１００を介して容器の内部空洞から流体が流れるように規定される孔１０１ａを含む基部本体１０１を含んでいてもよい。本体部分１０２はさらに、蓋と容器および／または少なくとも１つの囲い１０５とを流体的に封止するための少なくとも１つの封止１０３をさらに含んでいてもよい。孔１０１は内部空洞において配置されるストローに動作可能に取り付けられていてもよい。封止１０３は、例えば、シリコーン、ゴム、および同様の物のような、何れかの適する材料からなっていてもよい。
【００２７】
少なくとも１つの内容物貯蔵システム１０６は基部１０２に配置され、容器の内部空洞に選択的流体的に連通するように構成されていてもよい。内容物貯蔵システム１０６は、開状態のときには、内容物貯蔵システム１０６が内部空洞と流体的に連通してもよいような弁１０９を含む、貯蔵器本体１０７を有していてもよい。弁１０９が閉状態のときには、内容物貯蔵システム１０６が内部空洞と流体的に連通しない。本開示の目的に対して、用語「流体的連通」は、容器の内部空洞と貯蔵器本体１０７との間において、非流体（例えば、粉末、ゲル、濃縮物等）に対して移転可能であることを可能にすると理解されてもよい。内容物貯蔵器１０６は、好ましくは、容器の内部の液体（例えば、水）に加える、何れかの適する添加物（例えば、香味料）または他の内容物を保持するように構成されていてもよい。
【００２８】
弁１０９は、これに限られないが、容器の内部空洞と内容物貯蔵システム１０６の貯蔵器本体１０７との間の圧力差が、閾値（例えば、弁を押し開けるのに十分である、内部空洞に対する貯蔵器本体１０７の正の圧力）より大きくてもよい場合に、開くように構成された、一方向圧力弁（例えば、逆止め弁）を含む、何れかの適する種類の弁を含んでいてもよい。他の実施形態において、弁１０９は、適する機構および／または電気的に作動させられる弁であってもよい。
【００２９】
いくつかの実施形態において、弁１０９は弾性材料を含んでいてもよい。特に、弁１０９は、流体、粉末、ゲル、または何れかの他の適する内容物のうちの少なくとも１つと共に操作されるように構成されていてもよい。希望する弁機能に対する何れかの適する材料の選択は本明細書において考慮されるかもしれない。
【００３０】
図２から４に示されるように、弁１０９は弁台１１５によって貯蔵器本体１０７に実装されていてもよい。弁１０９は何れかの適する方法において貯蔵器本体１０７に配置されていてもよいことが考慮されるかもしれない。
【００３１】
作動部１１１は閉状態と開状態との間において弁１０９を作動させて、容器の内部空洞を貯蔵器本体１０７およびその中の内容物に、選択的に開けるように構成されていてもよい。示されるように、作動部１１１は、例えば、作動部１１１に接着（またはそうでない場合は接続）されてもよい、ねじ切り部品１１３を含むことにより貯蔵器本体１０７に可動に取り付けられていてもよい。作動部１１１へのねじ切り部品１１３の何れかの他の適する取り付けは、本明細書において考慮されるかもしれない（例えば、作動部１１１にねじ切り部品１１３を形成する）。このような実施形態において、作動部１１１は、取り除かれても（例えば、蓋を回して外されても）よく、内容物が内容物貯蔵システム１０６の貯蔵器本体１０７に加えられてもよい。
【００３２】
弁１０９が圧力弁を含む実施形態において、作動部１１１は内容物貯蔵システム１０６の貯蔵器本体１０７を加圧するように構成された押子を含んでいてもよい。押子は図１から６に示されるような、内容物貯蔵システム１０６の貯蔵器本体１０７を変形させ、加圧するように構成された、可撓性ボタンまたは蓋を含んでいてもよい。
【００３３】
いくつかの実施形態において、内容物貯蔵システム１０６の貯蔵器本体１０７は、少なくとも一部が基部１０２の内部に形成されていてもよい（例えば、貯蔵器本体１０７は基部本体１０１によって規定されていてもよい）。他の実施形態において、内容物貯蔵システム１０６は基部１０２から取り外し可能であってもよい。
【００３４】
示されるように、口部／飲み口１１７は、口部／飲み口１１７が封止部と非封止部との間を動くように、基部１０２に動けるように接続されていてもよい。例えば、口部／飲み口１１７が回転、および／またはそうでない場合、基部本体１０１に対して押し付けられてもよい場合、流体に、口部１０７を通って結果的に容器の封止を通って動くことを可能にする、流体経路は存在しない。もし口部が非封止位置へ延びてもよいならば、口部１１７は、容器の内部空洞と大気との間の流体経路を可能にする孔１０１ａを伴う通路を配置する。口部１１７が非封止位置において、内容物貯蔵システム１０６から離れて延びていてもよいことが考慮される。口部１１７が移動部として示される上、口部１１７は何れかの適する方法において（例えば、基部本体１０１の一部として形成される）、蓋１００の上において使用され、配置されていてもよいことが考慮される。
【００３５】
蓋１００はさらに、操作可能な対応する孔１０１ａを伴うストローを通じて流体を引き込めるように、使用者が口部１１７を通じた吸引を作り出すことを十分に可能にする、口部１１７の周囲の漏れを防止する、および／または封止を提供するように、口部１１７が孔１０１ａ付近の基部本体１０１と接触する位置に配置される口部ガスケット１１９を含んでいてもよい。他の何れかの適する封止機構が考慮されてもよい。
【００３６】
蓋１００は、内容物の除去および／または使用者によって作り出された吸引のために、負圧が容器内部に形成されるとき、容器へ気体を侵入させることを可能にする蓋１００の何れかの適する部分に配置されていてもよい開放弁１２１もまた含んでいてもよい。示されるように、口部１１７が封止位置にある場合、開放弁は口部１１７によって覆われ、かつ／または塞がれていてもよい。開放弁１２１は何れかの適する弁（例えば、逆止め弁）であってもよい。
【００３７】
いくつかの実施形態において、蓋１００はさらに、使用時において口部１１７の少なくとも一部分を選択的にさらすように、口部１１７に対して動くように構成された口部カバー１２５を含んでいてもよい。蓋１００は、口部１１７に回転、またはそうでなければ、封止位置と非封止位置との間の移動を可能にする間に口部１１７を所定の位置に保持するように構成された１つ以上のカバー機能１２３もまた含んでいてもよい。カバー機能１２３は何れかの適する方法において、基部本体１０１に接着または固定されていてもよい。
【００３８】
本明細書において記載された蓋の様々な実施形態の何れかの構成は、これに限られないが、プラスチック、金属、および／またはセラミックスを含む、何れかの適する材料と共に作られていてもよい。本開示の何れかの封止／ガスケットは、これに限られないが、ゴム、プラスチック、柔軟プラスチック、および／または発泡体のような、何れかの適する材料から作られていてもよい。
【００３９】
本明細書に開示されているように、もしも流体、ゲル、粉末、気体、または他の適する内容物が貯蔵器本体１０７に配置されていてもよいならば、弁１０９の閉状態から開状態への作動は、貯蔵器本体１０７の内容物を容器の内部空洞へ（および／または、もし蓋１００が容器に接触していないならば大気へ）注ぎ込む、および／または放出することを可能にする。内容物貯蔵システム１０６の内容物の放出の後、弁１０９は本体１０７の入口から、容器からの何れかの流体を再び防ぐように作動されるまで閉じる。このことは、蓋１００の取り外しを有する、あるいは内容物貯蔵システム１０６において付加物を妥協して使用することなく、容器の内容物に振動、あるいはそうでなければ混合されることを可能にする。
【００４０】
図面に示された蓋１００の実施形態が飲用容器の使用に対して構成され、かつ適合されている上、従来技術を有する者は、蓋１００が、何れかの適する容器の種類（例えば、ガソリンであってもよい）、および内容物貯蔵システム１０６の内部の何れかの適する内容物の種類（例えば、２ストロークモータオイル）に対して何れかの適する方法において変形されてもよいことが理解されるだろう。
【００４１】
図７を参照する、本開示の少なくとも１つの態様において、容器７００は流体を保持するように構成された内部空洞７０３を規定する容器ハウジング７０１と、本明細書に開示されるような蓋１００とを備える。容器７００は、飲用容器（例えば、瓶、マグカップ、魔法瓶、スポーツ飲料容器等）、またはガソリンであってもよい化学容器等のような、何れかの適する容器であってもよく、何れかの適する材料（例えば、プラスチック、金属等）から作られていてもよい。容器７００は何れかの適する形状および設計であってもよい。容器７００は、内部空洞７０３の内部の流体が貯蔵システム１０６と接触する、および／または貯蔵システム１０６の機能と歩み寄るまでの最大充填水準を表す充填線のような、何れかの適する印および／または他の特徴を含んでいてもよい。
【００４２】
開示された実施形態は詳細に記載されている上、本開示の本質および精神から逸脱することなく、これらの実施形態において変形が作られていてもよいことが、それらの当業者によって評価されるだろう。
【図面の簡単な説明】
【００４３】
【図１】本開示に係る蓋の例示的な実施形態の側面図である。
【図２】図１の蓋の側断面図である。
【図３】図１の蓋の分解側面図である。
【図４】図１の蓋の正面図である。
【図５】図１の蓋の上方平面図である。
【図６】図１の蓋の下方平面図である。
【図７】容器に配置された図１の蓋の側断面図である。
【図１】
2017520483.tif 000003
【図２】
2017520483.tif 000004
【図３】
2017520483.tif 000005
【図４】
2017520483.tif 000006
【図５】
2017520483.tif 000007
【図６】
2017520483.tif 000008
【図７】
2017520483.tif 000009
【国際調査報告】
2017520483.tif 000010
2017520483.tif 000011
2017520483.tif 000012